(57)【要約】【課題】電気機器と人との間の距離に応じて、自動的に当該電気機器への電力供給を制御することができる電力供給制御装置を提供する。【解決手段】記憶部２５が、ユーザによって変更可能な制御内容を示す制御情報を記憶する。電力供給決定部２６が、電気機器と人との間の距離を測定可能な距離測定装置による測定結果を示す距離情報によって示される距離と、記憶部２５に記憶されている制御情報によって示される制御内容とに基づいて、電気機器に電力を供給するか否かを決定する。電力供給制御部２３が、電力供給決定部２６の決定結果に従って、電気機器への電力の供給を制御する。【選択図】      図１７
2016063677.tif 000002
【特許請求の範囲】
【請求項１】
ユーザによって変更可能な制御内容を示す制御情報を記憶する記憶手段と、
電気機器と人との間の距離を測定可能な距離測定装置による測定結果を示す距離情報によって示される距離と、前記記憶手段に記憶されている制御情報によって示される制御内容とに基づいて、前記電気機器に電力を供給するか否かを決定する電力供給決定手段と、
前記電力供給決定手段の決定結果に従って、前記電気機器への電力の供給を制御する電力供給制御手段とを備えた
ことを特徴とする電力供給制御装置。
【請求項２】
前記記憶手段には、前記距離情報によって示される距離に応じて、前記電気機器に電力を、供給開始するか否かおよび供給停止するか否かを示す制御情報が記憶されている
請求項１に記載の電力供給制御装置。
【請求項３】
前記電力供給決定手段は、設置された場所の環境の物理量を測定する環境測定装置による測定結果を示す環境情報によって示される物理量と、前記距離情報によって示される距離と、前記制御情報によって示される制御内容とに基づいて、前記電気機器に電力を供給するか否かを決定する
請求項１に記載の電力供給制御装置。
【請求項４】
前記記憶手段に記憶されている制御情報は、複数の前記環境測定装置の各々に設定された優先順位を示す情報を含み、
前記電力供給決定手段は、より高い優先順位が設定された前記環境測定装置が生成した環境情報によって示される物理量と、前記距離情報によって示される距離と、前記制御情報によって示される制御内容とに基づいて、前記電気機器に電力を供給するか否かを決定する
請求項３に記載の電力供給制御装置。
【請求項５】
前記記憶手段には、前記距離情報によって示される距離に応じて前記電気機器に電力を、供給開始するか否かおよび供給停止するか否かと、前記環境情報によって示される物理量に応じて前記電気機器に電力を、供給開始するか否かおよび供給停止するか否かをとを示す制御情報が記憶されている
請求項３または請求項４に記載の電力供給制御装置。
【請求項６】
請求項１から請求項５のうちいずれかに記載の電力供給制御装置と、
前記距離測定装置とを備えた
ことを特徴とする電力供給制御システム。
【請求項７】
請求項３から請求項５のうちいずれかに記載の電力供給制御装置と、
前記環境測定装置とを備えた
ことを特徴とする電力供給制御システム。
【請求項８】
電気機器と人との間の距離を測定可能な距離測定装置による測定結果を示す距離情報によって示される距離と、記憶手段に記憶され、ユーザによって変更可能な制御内容を示す制御情報によって示される制御内容とに基づいて、前記電気機器に電力を供給するか否かを決定する電力供給決定ステップと、
前記電力供給決定ステップにおける決定結果に従って、前記電気機器への電力の供給を制御する電力供給制御ステップとを含む
ことを特徴とする電力供給制御方法。
【請求項９】
コンピュータに、
電気機器と人との間の距離を測定可能な距離測定装置による測定結果を示す距離情報によって示される距離と、記憶手段に記憶され、ユーザによって変更可能な制御内容を示す制御情報によって示される制御内容とに基づいて、前記電気機器に電力を供給するか否かを決定する電力供給決定処理と、
前記電力供給決定処理における決定結果に従って、前記電気機器への電力の供給を制御する電力供給制御処理とを実行させる
ための電力供給制御プログラム。
【発明の詳細な説明】
【技術分野】
【０００１】
本発明は、電気機器への電力供給を制御することができる電力供給制御装置、電力供給制御システム、電力供給制御方法、および電力供給制御プログラムに関する。
【背景技術】
【０００２】
予め設定された内容に応じて動作を自動制御する電気機器がある。そのような電気機器は、予め設定された温度等を維持するために、動作を自動制御する。
【０００３】
特許文献１には、赤外線を用いて人体を検知した場合に、電気機器への電力供給を開始する装置が記載されている。
【先行技術文献】
【特許文献】
【０００４】
【特許文献１】特開２００８−１４９５２号公報
【発明の概要】
【発明が解決しようとする課題】
【０００５】
動作を自動制御可能な電気機器であっても、一般に、稼働させるか否かのオン／オフ制御は、ユーザの操作に基づいて行われる。したがって、ユーザは、当該電気機器をオン状態とオフ状態との間で遷移させるために、当該電気機器が設置されている場所まで行ってボタン操作をしたり、リモートコントローラにおいてボタン操作をしたりしなければならず、手間がかかるという問題がある。
【０００６】
リモートコントローラを用いる場合に、ユーザは、当該電気機器が設置されている場所まで移動する必要はないが、当該リモートコントローラを身近に置いておかなければならない。そして、リモートコントローラの数が増えると管理が煩雑になるという問題がある。
【０００７】
特許文献１に記載された装置は、電気機器への電力供給を開始するか否かを人体を検知したか否かのみに基づいて決定する。したがって、特許文献１に記載された装置は、電気機器への電力供給を開始するか否かを柔軟に設定することができないという問題がある。また、特許文献１に記載された装置は、電気機器への電力供給を終了する場合には、ユーザによるリモートコントローラにおけるボタン操作が必要となり、手間がかかるという問題がある。
【０００８】
そこで、本発明は、電気機器と人との間の距離に応じて、自動的に当該電気機器への電力供給を制御することができる電力供給制御装置、電力供給制御システム、電力供給制御方法、および電力供給制御プログラムを提供することを目的とする。
【課題を解決するための手段】
【０００９】
本発明による電力供給制御装置は、ユーザによって変更可能な制御内容を示す制御情報を記憶する記憶手段と、電気機器と人との間の距離を測定可能な距離測定装置による測定結果を示す距離情報によって示される距離と、記憶手段に記憶されている制御情報によって示される制御内容とに基づいて、電気機器に電力を供給するか否かを決定する電力供給決定手段と、電力供給決定手段の決定結果に従って、電気機器への電力の供給を制御する電力供給制御手段とを備えたことを特徴とする。
【００１０】
本発明による電力供給制御システムは、いずれかの態様の電力供給制御装置と、距離測定装置とを備えたことを特徴とする。
【００１１】
本発明による他の態様の電力供給制御システムは、いずれかの態様の電力供給制御装置と、環境測定装置とを備えたことを特徴とする。
【００１２】
本発明による電力供給制御方法は、電気機器と人との間の距離を測定可能な距離測定装置による測定結果を示す距離情報によって示される距離と、記憶手段に記憶され、ユーザによって変更可能な制御内容を示す制御情報によって示される制御内容とに基づいて、電気機器に電力を供給するか否かを決定する電力供給決定ステップと、電力供給決定ステップにおける決定結果に従って、電気機器への電力の供給を制御する電力供給制御ステップとを含むことを特徴とする。
【００１３】
本発明による電力供給制御プログラムは、コンピュータに、電気機器と人との間の距離を測定可能な距離測定装置による測定結果を示す距離情報によって示される距離と、記憶手段に記憶され、ユーザによって変更可能な制御内容を示す制御情報によって示される制御内容とに基づいて、電気機器に電力を供給するか否かを決定する電力供給決定処理と、電力供給決定処理における決定結果に従って、電気機器への電力の供給を制御する電力供給制御処理とを実行させることを特徴とする。
【発明の効果】
【００１４】
本発明によれば、電気機器と人との間の距離に応じて、自動的に当該電気機器への電力供給を制御することができる。
【図面の簡単な説明】
【００１５】
【図１】本発明の第１の実施形態の電力供給制御システムの構成例を示すブロック図である。
【図２】解析カメラの構成例を示すブロック図である。
【図３】リモートコントローラの構成例を示すブロック図である。
【図４】第１の実施形態における電力供給制御装置の構成例を示すブロック図である。
【図５】リモートコントローラの動作を示すフローチャートである。
【図６】第１の実施形態における所定の操作画面の例を示す説明図である。
【図７】解析カメラの動作を示すフローチャートである。
【図８】第１の実施形態における電力供給制御装置の動作を示すフローチャートである。
【図９】本発明の第２の実施形態の電力供給制御システムの構成例を示すブロック図である。
【図１０】本発明の第２の実施形態における各センサの構成例を示すブロック図である。
【図１１】本発明の第２の実施形態における電力供給制御装置の構成例を示すブロック図である。
【図１２】第２の実施形態でリモートコントローラの表示部に表示される所定の操作画面の例を示す説明図である。
【図１３】第２の実施形態における電力供給制御装置の動作を示すフローチャートである。
【図１４】本発明の第３の実施形態の電力供給制御システムの構成例を示すブロック図である。
【図１５】第３の実施形態においてリモートコントローラの動作を示すフローチャートである。
【図１６】ステップＳ６０２の処理で表示させる画面の例を示す説明図である。
【図１７】本発明の第４の実施形態の電力供給制御装置の構成例を示すブロック図である。
【発明を実施するための形態】
【００１６】
実施形態１．
本発明の第１の実施形態の電力供給制御システムについて、図面を参照して説明する。図１は、本発明の第１の実施形態の電力供給制御システムの構成例を示すブロック図である。図１に示すように、本発明の第１の実施形態の電力供給制御システムは、解析カメラ１００と電力供給制御装置２００とを含む。図１に示す例では、解析カメラ１００は、無線で電力供給制御装置２００に情報を送信するように示されているが、解析カメラ１００と電力供給制御装置２００とは有線通信回線で互いに接続されて情報を送受信するように構成されていてもよい。なお、距離測定装置は、例えば、解析カメラ１００によって実現される。
【００１７】
また、電力供給制御装置２００は、リモートコントローラ３００から無線で送信された情報を受信する。
【００１８】
そして、電力供給制御装置２００は、電気機器４００および電力供給源５００に接続されている。電力供給制御装置２００は、解析カメラ１００から送信された情報、およびリモートコントローラ３００から送信された情報に基づいて、電力供給源５００から供給された電力の電気機器４００への供給を制御する。したがって、電気機器４００は、電力供給制御装置２００を介して電力供給源５００から電力が供給される。なお、電力供給源５００からは、例えば、商用電力が供給される。また、電気機器４００は、例えば、エアーコンディショナやテレビジョン放送受像機等の家庭用電気製品である。
【００１９】
図２は、解析カメラ１００の構成例を示すブロック図である。解析カメラ１００は、図２に示すように、動画撮影部１１０、メモリ１２０、画像解析部１３０、および無線通信部１４０を含む。
【００２０】
動画撮影部１１０は、所定の範囲を撮影して、動画データを生成する。メモリ１２０には、動画撮影部１１０が生成した動画データが記憶される。画像解析部１３０は、メモリ１２０に記憶されている動画データに基づいて、ユーザと電気機器４００との間の距離を示す距離情報を生成する。無線通信部１４０は、画像解析部１３０が生成した距離情報を無線で送信する。
【００２１】
図３は、リモートコントローラ３００の構成例を示すブロック図である。リモートコントローラ３００は、図３に示すように、入力部３１０、入力検出部３２０、表示部３３０、制御部３４０、および無線通信部３５０を含む。
【００２２】
入力部３１０は、ユーザによってなされた操作に応じて情報を入力する。入力検出部３２０は、ユーザによって入力部３１０に操作がなされたことを検出する。表示部３３０は、情報を表示する。制御部３４０は、入力部３１０になされた操作に応じた制御情報を生成する。無線通信部３５０は、制御部３４０が生成した制御情報を無線で送信する。なお、入力検出部３２０、入力部３１０、および表示部３３０は、例えば、タッチパネルによって実現される。
【００２３】
図４は、電力供給制御装置２００の構成例を示すブロック図である。電力供給制御装置２００は、図４に示すように、電力入力端２１０、電力出力端２２０、スイッチ２３０、無線通信部２４０、制御保存部２５０、および制御部２６０を含む。
【００２４】
電力入力端２１０は、電力供給源５００と接続されて電力が入力される。電力出力端２２０は、電気機器４００と接続されて、電力入力端２１０に入力された電力が出力される。なお、図４に示す例では、電力入力端２１０に入力された電力は、制御部２６０およびスイッチ２３０を介して電力出力端２２０から出力されるように構成されているが、制御部２６０を介さずに電力出力端２２０から出力されるように構成されていてもよい。スイッチ２３０は、制御部２６０の制御に従って、電力出力端２２０からの電力の出力を制御する。無線通信部２４０は、解析カメラ１００から送信された距離情報と、リモートコントローラ３００から送信された制御情報とを受信する。制御保存部２５０には、無線通信部２４０が受信した制御情報が保存される。制御部２６０は、無線通信部２４０が受信した距離情報と制御情報とに基づいて、スイッチ２３０を制御する。
【００２５】
次に、本発明の第１の実施形態の動作について説明する。図５は、リモートコントローラ３００の動作を示すフローチャートである。図５に示すように、リモートコントローラ３００は、まず、入力検出部３２０が、ユーザによって操作がなされたことを検出すると、制御部３４０は、所定の操作画面を表示部３３０に表示させる（ステップＳ１０１）。
【００２６】
図６は、本実施形態における所定の操作画面の例を示す説明図である。図６に示す例では、所定の操作画面で「ユーザ近距離」が選択され、ユーザと電気機器４００との間の距離が近距離である場合に、電力供給制御装置２００による電力供給制御が行われることが示されている。また、図６に示す例では、所定の操作画面の「ＯＮ閾値」で「２」が選択され、ユーザと電気機器４００との間の距離が２ｍ以内である場合に、電力供給制御装置２００による電力供給制御で電力供給が開始されることが示されている。図６に示す例では、所定の操作画面の「ＯＦＦ閾値」で「２」が選択され、ユーザと電気機器４００との間の距離が２ｍよりも遠い場合に、電力供給制御装置２００による電力供給制御で電力供給が停止されることが示されている。したがって、図６に示す例では、電気機器４００がオン状態に制御される設定範囲は、当該電気機器４００の周囲２ｍである。
【００２７】
制御部３４０は、ユーザによって入力部３１０になされた操作に応じた制御情報を生成して（ステップＳ１０２）、無線通信部３５０に入力する。図６に示す例によれば、ステップＳ１０２の処理で、電気機器４００がオン状態に制御される設定範囲が２ｍであることを示す制御情報が生成される。
【００２８】
無線通信部３５０は、ステップＳ１０２の処理で制御部３４０が生成した制御情報を無線で送信する（ステップＳ１０３）。
【００２９】
図７は、解析カメラ１００の動作を示すフローチャートである。図７に示すように、解析カメラ１００は、動画撮影部１１０が、所定の範囲を撮影して動画データを生成し（ステップＳ２０１）、メモリ１２０に記憶させる。なお、動画撮影部１１０が撮影する所定の範囲には、電気機器４００が含まれているとする。画像解析部１３０は、メモリ１２０に記憶された動画データに基づいて、当該所定の範囲内において撮影された人物（例えば電気機器４００のユーザ）と電気機器４００との間の距離を示す距離情報を生成する（ステップＳ２０２）。なお、動画データに基づく、撮影された人物（例えばユーザ）と電気機器４００との間の距離の算出には公知の技術が用いられる。無線通信部１４０は、ステップＳ２０２の処理で画像解析部１３０が生成した距離情報を無線で送信する（ステップＳ２０３）。
【００３０】
図８は、電力供給制御装置２００の動作を示すフローチャートである。図８に示すように、電力供給制御装置２００は、無線通信部２４０が、ステップＳ１０３の処理でリモートコントローラ１００の無線通信部３５０が送信した制御情報を受信する（ステップＳ３０１）。制御部２６０は、ステップＳ３０１の処理で無線通信部２４０が受信した制御情報を制御保存部２５０に保存する（ステップＳ３０２）。また、電力供給制御装置２００は、無線通信部２４０が、ステップＳ２０３の処理で解析カメラ１００の無線通信部１４０が送信した距離情報を受信する（ステップＳ３０３）。
【００３１】
そして、制御部２６０は、ステップＳ３０２の処理で制御保存部２５０に保存された制御情報と、ステップＳ３０３の処理で無線通信部２４０が受信した距離情報によって示される距離とに基づいて、制御内容を決定する。具体的には、制御部２６０は、距離情報によって示される距離が、制御情報によって示される設定範囲内であるか否かに応じて（ステップＳ３０４）、スイッチ２３０を制御する。
【００３２】
本例では、制御部２６０は、距離情報によって示される距離が２ｍ以内である場合に（ステップＳ３０４のＹ）、設定範囲内である：のでスイッチ２３０をオン状態に制御する（ステップＳ３０５）。したがって、制御部２６０は、ステップＳ３０５の処理で、スイッチ２３０が、従前オフ状態に制御されていればオン状態に遷移させ、従前オン状態に制御されていればオン状態を継続させる。すると、電力入力端２１０に入力された電力が電力出力端２２０から電気機器４００に供給され、電気機器４００がオン状態に制御される。
【００３３】
また、本例では、制御部２６０は、距離情報によって示される距離が２ｍを超えている場合に（ステップＳ３０４のＮ）、設定範囲内でないのでスイッチ２３０をオフ状態に制御する（ステップＳ３０６）。したがって、制御部２６０は、ステップＳ３０６の処理で、スイッチ２３０が、従前オン状態に制御されていればオフ状態に遷移させ、従前オフ状態に制御されていればオフ状態を継続させる。すると、電力入力端２１０に入力された電力が電力出力端２２０から電気機器４００に供給されず、電気機器４００がオフ状態に制御される。
【００３４】
本実施形態によれば、解析カメラ１００が電気機器４００とユーザとの間の距離を示す距離情報を生成する。そして、電力供給制御装置２００が、距離情報によって示される距離に基づいて判断した、リモートコントローラ３００に設定された設定範囲内にユーザがいるか否かに応じて電気機器４００への電力供給を制御する。したがって、電気機器４００とユーザとの間の距離に応じて、自動的に当該電気機器４００への電力供給を制御することができる。
【００３５】
実施形態２．
次に、本発明の第２の実施形態の電力供給制御システムについて、図面を参照して説明する。図９は、本発明の第２の実施形態の電力供給制御システムの構成例を示すブロック図である。図９に示すように、本発明の第２の実施形態の電力供給制御システムは、図１に示す第１の実施形態の電力供給システムの構成に加え、第１のセンサ６００−１〜第ｎのセンサ６００−ｎを含む。各センサ６００−１〜ｎは、設置された場所の環境に応じて所定の物理量を測定して、測定結果を示す結果情報を無線で送信する。そして、本実施形態の電力供給制御装置２０２は、距離情報および制御情報に加えて、結果情報にも基づいて、電力供給源５００から供給された電力の電気機器４００への供給を制御する。その他の構成は、図１に示す第１の実施形態における構成と同様であるので、対応する各要素には図１における符号と同じ符号を付して説明を省略する。なお、環境測定装置は、各センサ６００−１〜ｎによって実現される。
【００３６】
図１０は、各センサ６００−１〜ｎの構成例を示すブロック図である。図１０に示すように、各センサ６００−１〜ｎは、記憶部６１２−１〜ｎ、センシング部６２２−１〜ｎ、および無線通信部６３２−１〜ｎを含む。
【００３７】
記憶部６１２−１〜ｎには、各センサ６００−１〜ｎを互いに識別するセンサＩＤ（ＩＤｅｎｔｉｆｉｃａｔｉｏｎ）が記憶されている。センシング部６２２−１〜ｎは、それぞれ物理量を測定した測定結果を示し、センサＩＤを含む結果情報を生成する。センシング部６２２−１〜ｎが測定する物理量は、例えば、温度や湿度、照度等である。無線通信部６３２−１〜ｎは、センシング部６２２−１〜ｎが生成した結果情報を無線で送信する。
【００３８】
図１１は、本実施形態における電力供給制御装置２０２の構成例を示すブロック図である。本実施形態における電力供給制御装置２０２は、図４に示す第１の実施形態における電力供給制御装置２００の構成に加えて、結果情報受信部２７２を含む。結果情報受信部２７２は、各センサ６００−１〜ｎが送信した結果情報を受信して制御部２６２に入力する。制御部２６２は、距離情報および制御情報に加えて、結果情報にも基づいて、スイッチ２３０を制御する。その他の構成は、図４に示す第１の実施形態における構成と同様であるので、対応する各要素には図４における符号と同じ符号を付して説明を省略する。なお、図１１に示す例では、電力入力端２１０に入力された電力は、制御部２６２およびスイッチ２３０を介して電力出力端２２０から出力されるように構成されているが、第１の実施形態と同様に、電力入力端２１０に入力された電力は、制御部２６２を介さずに電力出力端２２０から出力されるように構成されていてもよい。
【００３９】
図１２は、本実施形態でリモートコントローラ３００の表示部３３０に表示される所定の操作画面の例を示す説明図である。本実施形態では、図６に示す操作画面から遷移して、図１２に示す操作画面が表示部３３０に表示される。そして、ユーザによってなされた操作に応じた情報が入力される。なお、本例では、図１２に示す操作画面が表示される前に、図６に示す操作画面が表示され、ユーザによって第１の実施形態における操作と同様な操作がなされたとする。
【００４０】
図１２には、各センサ６００−１〜３についての設定画面が示されている。図１２に示すように、第１のセンサ６００−１、第２のセンサ６００−２、および第３のセンサ６００−３にそれぞれ優先順位が設定される。図１２に示す例では、第１優先順位に第２のセンサ６００−２が設定され、第２優先順位に第１のセンサ６００−１が設定され、第３優先順位に第３のセンサ６００−３が設定されている。なお、本例では、第１のセンサ６００−１が温度センサであり、第２のセンサ６００−２が湿度センサであり、第３のセンサ６００−３が照度センサであるとする。
【００４１】
そして、図１２に示す例では、第１のセンサ６００−１について、所定の操作画面の「ＯＮ閾値」で「３０」が選択され、温度が３０℃以上である場合に、電力供給制御装置２０２による電力供給制御で電力供給が開始されることが示されている。図１２に示す例では、所定の操作画面の「ＯＦＦ閾値」で「２５」が選択され、温度が２５℃未満である場合に、電力供給制御装置２０２による電力供給制御で電力供給が停止されることが示されている。
【００４２】
また、図１２に示す例では、第２のセンサ６００−２について、所定の操作画面の「ＯＮ閾値」で「８０」が選択され、湿度が８０％以上である場合に、電力供給制御装置２０２による電力供給制御で電力供給が開始されることが示されている。図１２に示す例では、所定の操作画面の「ＯＦＦ閾値」で「３０」が選択され、湿度が３０％未満である場合に、電力供給制御装置２０２による電力供給制御で電力供給が停止されることが示されている。
【００４３】
さらに、図１２に示す例では、第３のセンサ６００−３について、所定の操作画面の「ＯＮ閾値」で「５００」が選択され、照度が５００ルクス以上である場合に、電力供給制御装置２０２による電力供給制御で電力供給が開始されることが示されている。図１２に示す例では、所定の操作画面の「ＯＦＦ閾値」で「５００」が選択され、湿度が５００ルクス未満である場合に、電力供給制御装置２０２による電力供給制御で電力供給が停止されることが示されている。
【００４４】
なお、電力供給制御装置２０２による電力供給制御が、各ＯＮ閾値およびＯＦＦ閾値の以上、以下、未満等のいずれで行われるのかは、例えば、詳細設定の画面（図示せず）で設定される。
【００４５】
リモートコントローラ３００の制御部３４０は、ユーザによって入力部３１０になされた操作に応じた制御情報を生成して、無線通信部３５０に入力する。本例では、電気機器４００がオン状態に制御される設定範囲が２ｍであることを示す制御情報が生成される。また、本例の制御情報は、図１２に示す例によれば、第１のセンサ６００−１の測定結果について、電気機器４００は、温度が３０℃以上でオン状態に制御され、２５℃未満になるとオフ状態に制御されることを示す情報を含む。さらに、本例の制御情報は、図１２に示す例によれば、第２のセンサ６００−２の測定結果について、電気機器４００は、湿度が８０％以上でオン状態に制御され、３０％未満になるとオフ状態に制御されることを示す情報を含む。また、本例の制御情報は、図１２に示す例によれば、第３のセンサ６００−３の測定結果について、電気機器４００は、照度が５００ルクス以上でオン状態に制御され、５００ルクス未満でオフ状態に制御されることを示す情報を含む。
【００４６】
そして、本例の制御情報は、第１優先順位が第２のセンサ６００−２であり、第２優先順位が第１のセンサ６００−１であり、第３優先順位が第３のセンサ６００−３であることを示す情報を含む。
【００４７】
次に、本発明の第２の実施形態の動作について説明する。図１３は、本実施形態における電力供給制御装置２０２の動作を示すフローチャートである。図１３に示すように、電力供給制御装置２０２は、無線通信部２４０が、リモートコントローラ１００の無線通信部３５０が送信した制御情報を受信する（ステップＳ５０１）。制御部２６２は、ステップＳ５０１の処理で無線通信部２４０が受信した制御情報を制御保存部２５０に保存する（ステップＳ５０２）。また、電力供給制御装置２０２は、無線通信部２４０が、図７に示すステップＳ２０３の処理に相当する処理で解析カメラ１００の無線通信部１４０が送信した距離情報を受信する（ステップＳ５０３）。
【００４８】
そして、制御部２６２は、ステップＳ５０２の処理で制御保存部２５０に保存された制御情報と、ステップＳ５０３の処理で無線通信部２４０が受信した距離情報によって示される距離とに基づいて、ユーザが設定範囲内にいるか否かの判断を行う（ステップＳ５０４）。そして、制御部２６２は、ステップＳ５０４の処理で、ユーザが設定範囲内にいないと判断した場合に（ステップＳ５０４のＮ）、ステップＳ５０４の処理を繰り返す。また、制御部２６２は、ステップＳ５０４の処理で、ユーザが設定範囲内にいると判断した場合に（ステップＳ５０４のＹ）、ステップＳ５０５の処理に移行する。
【００４９】
結果情報受信部２７２は、各センサ６００−１〜３が送信した結果情報を適宜受信する（ステップＳ５０５）。結果情報受信部２７２は、ステップＳ５０５の処理で受信した結果情報を制御部２６２に入力する。各センサ６００−１〜３は、例えば、所定の時間間隔で定期的に結果情報を送信するように構成されている。なお、電力供給制御装置２０２がステップＳ５０４の処理でＹと判断したとき等の所定のタイミングで各センサ６００−１〜３に結果情報の送信を要求し、各センサ６００−１〜３は、当該要求に応じて結果情報を送信するように構成されていてもよい。
【００５０】
制御部２６２は、ステップＳ５０２の処理で制御保存部２５０に保存した制御情報と、ステップＳ５０５の処理で結果情報受信部２７２が受信した結果情報とに基づいて、スイッチ２３０を制御して（ステップＳ５０６）、電気機器４００への電力供給を制御する。本例では、制御部２６２は、第１優先順位の第２のセンサ６００−２の制御情報と結果情報によって示される測定結果とに基づいて、スイッチ２３０を制御する。具体的には、制御部２６２は、スイッチ２３０を、結果情報によって示される測定結果の湿度が、８０％以上でオン状態に制御し、３０％未満になるとオフ状態に制御する。
【００５１】
また、第１優先順位の第２のセンサ６００−２から送信された結果情報によって示される測定結果の湿度が、８０％未満で３０％以上であった場合、例えば、以下のような処理が行われる。すなわち、制御部２６２は、第２優先順位の第１のセンサ６００−１の制御情報と結果情報によって示される測定結果とに基づいて、スイッチ２３０を制御する。具体的には、制御部２６２は、スイッチ２３０を、結果情報によって示される測定結果の温度が、３０℃以上でオン状態に制御し、２５℃未満になるとオフ状態に制御する。
【００５２】
さらに、第２優先順位の第１のセンサ６００−１から送信された結果情報によって示される測定結果の温度が、３０℃未満で２５℃以上であった場合、例えば、以下のような処理が行われる。すなわち、制御部２６２は、第３優先順位の第３のセンサ６００−３の制御情報と結果情報によって示される測定結果とに基づいて、スイッチ２３０を制御する。具体的には、制御部２６２は、スイッチ２３０を、結果情報によって示される測定結果が、照度が５００ルクス以上でオン状態に制御し、５００ルクス未満でオフ状態に制御する。
【００５３】
なお、制御部２６２は、各結果情報がいずれのセンサ６００−１〜ｎから送信されたのかを、例えば、当該結果情報に含まれるセンサＩＤに基づいて識別する。
【００５４】
本実施形態によれば、第１の実施形態の構成を含んでいるので、第１の実施形態と同様に、電気機器４００とユーザとの間の距離に応じて、自動的に当該電気機器４００への電力供給を制御することができる。
【００５５】
また、本実施形態では、ユーザによる設定内容と各センサ６００−１〜ｎの測定結果にも基づいて、電気機器４００への電力供給を制御するスイッチ２３０が制御される。したがって、本実施形態によれば、より柔軟に、自動的に当該電気機器４００への電力供給を制御することができる。
【００５６】
さらに、本実施形態によれば、各センサ６００−１〜ｎの測定結果に優先順位を設定可能であるので、ユーザの行動や周囲の環境等に基づき優先する測定結果に応じて、自動的に当該電気機器４００への電力供給を制御することができる。
【００５７】
また、本実施形態では、照度に応じて、電気機器４００への電力供給を制御するスイッチ２３０が制御される。したがって、本実施形態によれば、夜間に無人になる居間等に設置された電気機器４００への電力供給を自動的に夜間に停止して、節電することができる。
【００５８】
実施形態３．
次に、本発明の第３の実施形態の電力供給制御システムについて、図面を参照して説明する。図１４は、本発明の第３の実施形態の電力供給制御システムの構成例を示すブロック図である。図１４に示すように、本実施形態の電力供給制御システムは、第１の解析カメラ１００−１〜第ｎの解析カメラ１００−ｎ、第１のセンサ６００−１〜第ｎのセンサ６００−ｎ、および第１の電力供給制御装置２０２−１〜第ｎの電力供給制御装置２０２−ｎを含む。
【００５９】
第１の解析カメラ１００−１〜第ｎの解析カメラ１００−ｎは、それぞれ距離情報を無線で送信する。第１のセンサ６００−１〜第ｎのセンサ６００−ｎは、それぞれ結果情報を無線で送信する。第１の電力供給制御装置２０２−１〜第ｎの電力供給制御装置２０２−ｎは、送信された距離情報および結果情報をそれぞれ受信する。また、第１の電力供給制御装置２０２−１〜第ｎの電力供給制御装置２０２−ｎは、リモートコントローラ３００によって送信された制御情報をそれぞれ受信する。
【００６０】
なお、本実施形態において、リモートコントローラ３００と、第１の電力供給制御装置２０２−１〜第ｎの電力供給制御装置２０２−ｎとは、例えば、電波によって制御情報を送受信する。したがって、リモートコントローラ３００と第１の電力供給制御装置２０２−１〜第ｎの電力供給制御装置２０２−ｎとが互いに別室にある場合であっても、リモートコントローラ３００から送信された制御情報を第１の電力供給制御装置２０２−１〜第ｎの電力供給制御装置２０２−ｎに受信させることができる。また、リモートコントローラ３００と第１の電力供給制御装置２０２−１〜第ｎの電力供給制御装置２０２−ｎとの間に障害物がある場合であっても、リモートコントローラ３００から送信された制御情報を第１の電力供給制御装置２０２−１〜第ｎの電力供給制御装置２０２−ｎに受信させることができる。
【００６１】
第１の電力供給制御装置２０２−１〜第ｎの電力供給制御装置２０２−ｎは、それぞれ電力供給源５００に接続されている。また、第１の電力供給制御装置２０２−１〜第ｎの電力供給制御装置２０２−ｎには、第１の電気機器４００−１〜第ｎの電気機器４００−ｎがそれぞれ接続されている。
【００６２】
そして、第１の電力供給制御装置２０２−１〜第ｎの電力供給制御装置２０２−ｎのそれぞれは、受信した距離情報、結果情報および制御情報に基づいて、第１の電気機器４００−１〜第ｎの電気機器４００−ｎへの電力供給を制御する。
【００６３】
なお、第１の解析カメラ１００−１〜第ｎの解析カメラ１００−ｎの構成は、図２に示す第１の実施形態における解析カメラ１００の構成と同様であるので説明を省略する。また、第１のセンサ６００−１〜第ｎのセンサ６００−ｎは、図１０に示す第２の実施形態における第１のセンサ６００−１〜第ｎのセンサ６００−ｎの構成と同様であるので説明を省略する。第１の電力供給制御装置２０２−１〜第ｎの電力供給制御装置２０２−ｎの構成は、図１１に示す第２の実施形態における電力供給制御装置２０２の構成と同様であるので説明を省略する。また、リモートコントローラ３００の構成は、図３に示す第１の実施形態におけるリモートコントローラ３００の構成と同様であるので説明を省略する。
【００６４】
次に、本発明の第３の実施形態の動作について説明する。図１５は、本実施形態においてリモートコントローラ３００の動作を示すフローチャートである。図１５に示すように、本実施形態においてリモートコントローラ３００は、ユーザの操作に従って、互いに通信可能な各電力供給制御装置２０２−１〜ｎを検出するサーチ処理を行う（ステップＳ６０１）。具体的には、リモートコントローラ３００の無線通信部３５０は、入力部３１０になされた操作に応じて、応答要求メッセージを送信させる。応答要求メッセージを受信した各電力供給制御装置２０２−１〜ｎの無線通信部２４０は、ステップＳ６０１の処理でリモートコントローラ３００によって送信された応答要求メッセージに応じて、応答メッセージを送信する。応答メッセージには、自電力供給制御装置２０２−１〜ｎの設置位置を示す設置位置情報が含まれているとする。
【００６５】
リモートコントローラ３００の制御部は、各電力供給制御装置２０２−１〜ｎによって送信された応答メッセージに含まれる設置位置情報によって示される設置位置を示し、操作対象を選択する選択画面を表示部３３０に表示させる（ステップＳ６０２）。図１６は、ステップＳ６０２の処理で表示させる画面の例を示す説明図である。図１６に示す例では、部屋Ａの北側に設置されている２台目の電力供給制御装置が選択されている。
【００６６】
リモートコントローラ３００の制御部３４０は、前述したステップＳ１０１における処理と同様に、所定の操作画面を表示部３３０に表示させる（ステップＳ６０３）。そして、制御部３４０は、ユーザによって入力部３１０になされた操作に応じた制御情報を生成して（ステップＳ６０４）、無線通信部３５０に入力する。無線通信部３５０は、ステップＳ６０４の処理で制御部３４０が入力した制御情報を、ステップＳ６０２の処理で表示した選択画面で選択された操作対象の電力供給制御装置宛に無線で送信する（ステップＳ６０５）。具体的には、無線通信部３５０は、例えば、操作対象の電力供給制御装置を他の電力供給制御装置から識別可能な識別子を含む制御情報を送信する。そして、当該制御情報は、当該識別子に対応する電力供給制御装置によって受信されて保存される。
【００６７】
本実施形態の第１の電力供給制御装置２０２−１〜第ｎの電力供給制御装置２０２−ｎは、リモートコントローラ３００によって送信された制御情報をそれぞれ受信する。したがって、本実施形態によれば、第１の実施形態における効果および第２の実施形態における効果に加え、第１の電気機器４００−１〜第ｎの電気機器４００−ｎの各々への電力供給を制御することが可能になる。
【００６８】
また、本実施形態の電力供給制御システムは、第１の解析カメラ１００−１〜第ｎの解析カメラ１００−ｎを含む。そして、第１の電力供給制御装置２０２−１〜第ｎの電力供給制御装置２０２−ｎは、各解析カメラが送信した距離情報等に基づいて、第１の電気機器４００−１〜第ｎの電気機器４００−ｎへの電力供給を制御する。したがって、本実施形態によれば、各電気機器への電力供給を同時に制御することが可能になる。
【００６９】
実施形態４．
次に、本発明の第４の実施形態の電力供給制御装置について、図面を参照して説明する。図１７は、本発明の第４の実施形態の電力供給制御装置２０の構成例を示すブロック図である。図１７に示すように、本発明の第４の実施形態の電力供給制御装置２０は、記憶部２５、電力供給決定部２６、および電力供給制御部２３を含む。電力供給制御装置２０は、図４に示す第１の実施形態における電力供給制御装置２００および図１１に示す第２の実施形態における電力供給制御装置２０２に相当する。記憶部２５は、制御保存部２５０に相当する。電力供給決定部２６は、図４に示す第１の実施形態における制御部２６０および図１１に示す第２の実施形態における制御部２６２に相当する。電力供給制御部２３は、スイッチ２３０に相当する。
【００７０】
記憶部２５は、ユーザによって変更可能な制御内容を示す制御情報を記憶する。電力供給決定部２６は、電気機器と人との間の距離を測定可能な距離測定装置による測定結果を示す距離情報によって示される距離と、記憶部２５に記憶されている制御情報によって示される制御内容とに基づいて、電気機器に電力を供給するか否かを決定する。なお、距離測定装置は、解析カメラ１００に相当し、電気機器は、電気機器４００に相当する。
【００７１】
電力供給制御部２３は、電力供給決定部２６の決定結果に従って、電気機器への電力の供給を制御する。
【００７２】
本実施形態によれば、電気機器と人との間の距離に応じて、自動的に当該電気機器への電力供給を制御することができる。
【符号の説明】
【００７３】
２０、２００、２０２、２０２−１〜ｎ    電力供給制御装置、第１〜第ｎの電力供給制御装置
２３    電力供給制御部
２５    記憶部
２６    電力供給決定部
１００、１００−１〜ｎ    解析カメラ、第１〜第ｎの解析カメラ
１１０    動画撮影部
１２０    メモリ
１３０    画像解析部
１４０    無線通信部
２１０    電力入力端
２２０    電力出力端
２３０    スイッチ
２４０    無線通信部
２５０    制御保存部
２６０、２６２    制御部
２７２    結果情報受信部
３００    リモートコントローラ
３１０    入力部
３２０    入力検出部
３３０    表示部
３４０    制御部
３５０    無線通信部
４００、４００−１〜ｎ    電気機器、第１〜第ｎの電気機器
５００    電力供給源
６００−１〜ｎ    第１〜第ｎのセンサ
６１２−１〜ｎ    記憶部
６２２−１〜ｎ    センシング部
６３２−１〜ｎ    無線通信部
【図１】
2016063677.tif 000003
【図２】
2016063677.tif 000004
【図３】
2016063677.tif 000005
【図４】
2016063677.tif 000006
【図５】
2016063677.tif 000007
【図６】
2016063677.tif 000008
【図７】
2016063677.tif 000009
【図８】
2016063677.tif 000010
【図９】
2016063677.tif 000011
【図１０】
2016063677.tif 000012
【図１１】
2016063677.tif 000013
【図１２】
2016063677.tif 000014
【図１３】
2016063677.tif 000015
【図１４】
2016063677.tif 000016
【図１５】
2016063677.tif 000017
【図１６】
2016063677.tif 000018
【図１７】
2016063677.tif 000019